(57)【要約】基体部分（１２）と、該基体部分（１２）から所定の間隔をおいて配置された窓（１８）と、基体部分（１２）を窓（１８）と相互連結する側壁（１４）と、を含むプローブ安定化アーク放電ランプ。側壁（１４）、基体部分（１２）、及び窓（１８）は、チャンバー（２４）を画成する。第１電極（３０）は、チャンバー（２４）内に鉛直に配置され、基体部分（１２）を貫通して外向きに延在する。第２電極（５０）もチャンバー（２４）内に鉛直に配置され、第１電極（３０）から所定の間隔をおいて配置される。第２電極（５０）は、基体部分（１２）を貫通して外向きに延在する。第１及び第２電極（３０、５０）はアーク間隙（２８）を画定する。アーク間隙（２８）内でアークを発生させるために該アーク間隙（２８）まで又は該間隙（２８）に近接する少なくとも１つのトリガープローブ（７８）もある。反射器（２６）は、アークによって生じた放射を窓（１８）の外部に導くために該アーク間隙（２８）のまわりに配置される。点火装置（４００）も設け得る。
2006505097.tif 000002
【特許請求の範囲】
【請求項１】
プローブ安定化アーク放電ランプであって、
凹表面を画定する一体構造基体部分及び側壁部分と、
前記基体部分から所定の間隔をおいて配置され、チャンバーを画成する前記側壁部分に対して密封された窓と、
チャンバー内の気体と、
前記凹表面に配置又は該凹表面と一体になされ、焦点を有する反射器と、
前記基体部分の中心に配置され、かつ該基体部分から外向きに延在する遠位端を具備し、アノード支持部と該アノード支持部によって鉛直に支持されたアノードを含む第１電極と、
前記基体部分から外向きに延在する遠位端も具備し、
前記側壁部分から鉛直上向きに延在するカソード支持部と、
前記カソード支持部から水平方向内向きに延在するカソード支持アームと、
前記アノードから所定の間隔を隔てた位置まで前記カソード支持アームから鉛直下向きに延在するカソードと、を含む、第２電極と、
前記基体部分から外向きに延在する遠位端も具備し、前記側壁部分から鉛直上向きに延在し、かつ該側壁部分に近接した縮小外周領域を具備し、前記アノードと前記電極との間の前記アーク間隙内にアークを発生させるために前記縮小外周領域から該アーク間隙まで又は該間隙に近接して延在するトリガープローブを更に含む第３電極と、を備えるプローブ安定化アーク放電ランプ。
【請求項２】
前記基体部分及び前記側壁部分がセラミック材料製である、請求項１に記載のランプ。
【請求項３】
前記アノードがタングステン製である、請求項１に記載のランプ。
【請求項４】
前記アノード支持部が前記アノードを受容する遠位シートを含む、請求項１に記載のランプ。
【請求項５】
前記アノード支持部がコバール製である、請求項１に記載のランプ。
【請求項６】
前記アノードが面取部の無い平坦な遠位表面を具備する、請求項１に記載のランプ。
【請求項７】
前記カソード支持部がコバール製である、請求項１に記載のランプ。
【請求項８】
前記カソード支持アームがモリブデン製である、請求項１に記載のランプ。
【請求項９】
前記カソードがタングステンを含む材料製である、請求項１に記載のランプ。
【請求項１０】
前記カソードは、バリウム、カルシウム、及びアルミン酸塩を含浸させた８０％高密タングステン製である、請求項９に記載のランプ。
【請求項１１】
前記カソードはテーパが付された遠位端を具備する、請求項１に記載のランプ。
【請求項１２】
前記カソードは先端が尖り、かつテーパが付された遠位端を具備する、請求項１１に記載のランプ。
【請求項１３】
前記テーパは実質的に略６０°である、請求項１２に記載のランプ。
【請求項１４】
前記カソード支持部は前記カソード支持アームの一端を受容する凹所をその遠位端に具備し、前記カソードは前記カソード支持アームの他端を受容する凹所をその近位端に具備する、請求項１に記載のランプ。
【請求項１５】
前記第３電極は前記側壁部分を貫通して上向きに延在する支持部と、該支持部から上向きに延在するプローブピンと、前記プローブピンから延在するプローブと、を含む、請求項１に記載のランプ。
【請求項１６】
前記支持部は前記プローブピンを受容するためのシートを内部に含む、請求項１５に記載のランプ。
【請求項１７】
前記窓はサファイア製である、請求項１に記載のランプ。
【請求項１８】
前記窓は平坦な形状をしている、請求項１に記載のランプ。
【請求項１９】
前記窓は凸面形状をしている、請求項１に記載のランプ。
【請求項２０】
前記窓は、前記側壁部分に固定されたカラーによって包囲された透明部材を含む、請求項１に記載のランプ。
【請求項２１】
前記カラーと前記側壁の一部のまわりに延在するシールド部材を更に含む、請求項２０に記載のランプ。
【請求項２２】
前記側壁部分は前記窓用一体支持部を含む、請求項１に記載のランプ。
【請求項２３】
前記反射器は放物線形状をしている、請求項１に記載のランプ。
【請求項２４】
前記反射器は楕円形状をしている、請求項１に記載のランプ。
【請求項２５】
前記反射器は前記カソード支持部から所定の間隔を隔てた位置にある前記側壁部分に終端する、請求項１に記載のランプ。
【請求項２６】
前記反射器は前記第３電極の前記縮小外周領域から所定の間隔を隔てた位置にある前記側壁部分に終端する、請求項１に記載のランプ。
【請求項２７】
前記トリガープローブは先端の尖った遠位先端部を具備する、請求項１に記載のランプ。
【請求項２８】
前記トリガープローブは前記アーク間隙から偏倚した遠位先端部を具備する、請求項１に記載のランプ。
【請求項２９】
点火装置組立体を更に含む、請求項１に記載のランプ。
【請求項３０】
前記点火装置組立体は前記チャンバーに配置されたリード線線と、前記カソード支持アームに取り付けられた前記リード線線用絶縁支持部と、を含む、請求項２９に記載のランプ。
【請求項３１】
気体充填チューブを更に含み、前記点火装置組立体が前記気体充填チューブまで延在し且つ該チューブ内にある導電体を更に含む、請求項３０に記載のランプ。
【請求項３２】
プローブ安定化アーク放電ランプであって、
基体部分と、
前記基体部分から所定の間隔をおいて配置された窓と、
前記基体部分を前記窓と相互連結する側壁であって、前記側壁、前記基体部分、及び前記窓が前記チャンバー内の気体を画定する、前記側壁と、
チャンバー内の気体と、
前記チャンバー内に鉛直に鉛直に配置され、かつ前記基体部分を貫通して外向きに延在する第１電極と、
前記チャンバー内に鉛直にも配置され、かつ前記基体部分から所定の間隔をおいて配置され、かつ前記基体部分を貫通して外向きに延在する第２電極であって、前記第１及び第２電極の遠位端間にアーク間隙を画定する前記第１電極から所定間隔をおいて配置された、前記第２電極と、
前記アーク間隙にアークを発生させるために、前記アーク間隙まで又は該間隙に近接して延在するトリガープローブと、
前記アークによって生じた放射を前記窓の外部に導くための、前記アーク間隙のまわりに配置された反射器と、を備えるプローブ安定化アーク放電ランプ。
【請求項３３】
前記基体部分と前記側壁は一体構造であり、かつ前記アーク間隙を包囲する凹表面を画定する、請求項３２に記載のランプ。
【請求項３４】
前記基体部分及び前記側壁部分がセラミック材料製である、請求項３３に記載のランプ。
【請求項３５】
前記反射器は前記凹表面の一部である、請求項３３に記載のランプ。
【請求項３６】
前記第１電極は前記基体部分を貫通して外向きに延在し、かつ前記第２電極も前記基体部分を貫通して外向きに延在する、請求項３２に記載のランプ。
【請求項３７】
前記第１電極は前記基体部分の中心に配置され、かつアノードに終端する、請求項３２に記載のランプ。
【請求項３８】
前記アノードはタングステン製である、請求項３７に記載のランプ。
【請求項３９】
前記第１電極は前記アノ−ド用アノード支持部を含む、請求項３７に記載のランプ。
【請求項４０】
前記アノード支持部は前記アノードを受容する遠位シートを含む、請求項３９に記載のランプ。
【請求項４１】
前記アノード支持部はコバール製である、請求項３９に記載のランプ。
【請求項４２】
前記アノードは面取部のない平坦な遠位表面を具備する、請求項３７に記載のランプ。
【請求項４３】
前記第２電極は、前記側壁を貫通して上向きに延在するカソード支持部と、前記カソード支持部から前記アーク間隙上内向き且つ水平に延在するカソード支持アームと、前記カソード支持アームから鉛直下向きに延在するカソードと、を含む、請求項３２に記載のランプ。
【請求項４４】
前記カソード支持部はコバール製である、請求項４３に記載のランプ。
【請求項４５】
前記カソード支持アームはモリブデン製である、請求項４３に記載のランプ。
【請求項４６】
前記カソードはタングステンを含む材料製である、請求項４３に記載のランプ。
【請求項４７】
前記カソードは、バリウム、カルシウム、及びアルミン酸塩を含浸させた８０％高密度タングステン製である、請求項４６に記載のランプ。
【請求項４８】
前記カソードはテーパが付された遠位端を具備する、請求項４３に記載のランプ。
【請求項４９】
前記カソードは先端が尖った遠位端を具備する、請求項４３に記載のランプ。
【請求項５０】
前記カソードは先端が尖り、かつテーパが付された遠位端を具備する、請求項４３に記載のランプ。
【請求項５１】
前記テーパは実質的に６０°である、請求項５０に記載のランプ。
【請求項５２】
前記トリガープローブは、前記基体部分を貫通して外向きに延在するプローブ支持電極上の一端に配置される、請求項３２に記載のランプ。
【請求項５３】
前記プローブ支持電極は、その遠位端上のシートを含み、前記ランプは前記プローブ支持電極内に前記シートによって一端に支持された縮小外周トリガープローブ支持ピンを更に含み、前記トリガープローブは前記トリガープローブ支持ピンから内向き且つ下向きに延在する、請求項５２に記載のランプ。
【請求項５４】
前記カソード支持部はその遠位端に前記カソード支持アームの一端を受容する凹所を具備し、前記カソードはその近位に前記カソード支持アームの他端を受容する凹所を具備する、請求項４３に記載のランプ。
【請求項５５】
前記トリガープローブは前記基体部分を貫通して外向きに延在するプローブ電極の一端に配置される、請求項３２に記載のランプ。
【請求項５６】
前記プローブ電極は、前記プローブを支持する遠位端を具備する上部縮小領域支持ピンを含む、請求項５５に記載のランプ。
【請求項５７】
前記プローブ電極は前記プローブ支持ピンを受容する遠位プローブ支持ピンシートを内部に含む、請求項５６に記載のランプ。
【請求項５８】
前記窓はサファイア製である、請求項３２に記載のランプ。
【請求項５９】
前記窓は平坦な形状をしている、請求項３２に記載のランプ。
【請求項６０】
前記窓は凸面形状をしている、請求項３２に記載のランプ。
【請求項６１】
前記窓は、前記側壁に固定されたカラーによって包囲された透明部材を含む、請求項３２に記載のランプ。
【請求項６２】
前記カラーと前記側壁の一部のまわりに延在するシールド部材を更に含む、請求項６１に記載のランプ。
【請求項６３】
前記側壁は前記窓用一体支持部を含む、請求項３２に記載のランプ。
【請求項６４】
前記反射器は放物線形状をしている、請求項３２に記載のランプ。
【請求項６５】
前記反射器は楕円形状をしている、請求項３２に記載のランプ。
【請求項６６】
前記反射器は焦点を規定し、前記アーク間隙は前記反射器の焦点に配置される、請求項３２に記載のランプ。
【請求項６７】
前記反射器は、前記カソード支持部から間隔を隔てた位置にある前記側壁に終端する、請求項４３に記載のランプ。
【請求項６８】
前記反射器は、前記プローブ支持ピンから間隔を隔てた位置にある前記側壁に終端する、請求項５３に記載のランプ。
【請求項６９】
前記トリガープローブは先の尖った先端部を具備する、請求項３２に記載のランプ。
【請求項７０】
前記トリガープローブは前記アーク間隙から偏倚した先端部を具備する、請求項３２に記載のランプ。
【請求項７１】
点火装置組立体を更に含む、請求項３２に記載のランプ。
【請求項７２】
前記点火装置組立対は、前記チャンバー内に配置されたリード線線と、前記リード線線用絶縁支持部と、を含む、請求項７１に記載のランプ。
【請求項７３】
気体充填チューブを更に含み、前記点火装置組立体が前記気体充填チューブまで及び該チューブ内に延在する導電体を更に含む、請求項７２に記載のランプ。
【請求項７４】
プローブ安定化アーク放電ランプであって、
基体部分と、
前記基体部分から所定の間隔をおいて配置された窓と、
前記基体部分を前記窓と相互連結する側壁であって、前記側壁、前記基体部分、及び前記窓がチャンバーを画成する、前記側壁と、
前記チャンバー内の気体と、
前記チャンバー内に鉛直に配置され、かつ前記基体部分を貫通して外向きに延在する第１電極と、
前記チャンバー内に鉛直にも配置され、かつ前記基体部分を貫通して外向きに延在する第２電極であって、前記第１及び第２電極の遠位端間にアーク間隙を画成する前記第１電極から所定の間隔をおいて配置された、前記第２電極と、
前記アーク間隙内にアークを発生させるために該アーク間隙まで又は該アーク間隙に近接して延在するトリガープローブと、
前記アークによって生じた放射を前記窓から外部に導くために前記アーク間隙のまわりに配置された反射器と、を備えるプローブ安定化アーク放電ランプ。
【請求項７５】
プローブ安定化アーク放電ランプであって、
凹表面を画定する一体構造の基体部分及び側壁部分と、
前記基体部分、及びチャンバーを画成する前記側壁から所定の間隔をおいて配置された窓と、
前記チャンバー内の気体と、
前記チャンバー内に鉛直に配置された第１電極と、
前記チャンバー内に鉛直にも配置され、かつ前記第１及び第２電極の遠位端間にアーク間隙を画成する前記第１電極から所定の間隔をおいて配置された、前記第２電極と、
前記アーク間隙内にアークを発生させるために該アーク間隙まで又は該アーク間隙に近接して延在するトリガープローブと、
前記凹表面に配置され、前記アークによって生じた放射を前記窓から外部に導くために前記アーク間隙のまわりに配置された反射器と、を備えるプローブ安定化アーク放電ランプ。
【請求項７６】
プローブ安定化アーク放電ランプ用カソードジグであって、
アノードを内部に受容する内部チャネルを有する第１部分と、カソードの前記遠位端を受容するためにその該遠位端の凹形空洞を有する第２部分と、を具備する多重部片本体を備え、
前記第１部分は、前記第１部分を前記アノード上に配置する場合に前記カソードを該アノードを同軸関係に整合させるように寸法づけられた外周を有し、及び
前記第２部分は、前記アノードの遠位端から前記カソードの前記遠位端の距離を正確に隔てるように寸法づけられた長さを有する、プローブ安定化アーク放電ランプ用カソードジグ
【請求項７７】
前記多数部片本体は２部片に分割される、請求項７６に記載のカソードジグ。
【請求項７８】
プローブ安定化アーク放電ランプ用トリガープローブジグであって、
アノードを内部に受容する内部チャネルと、前記トリガープローブの遠位端を受容且つ支持するためにその上に画定された支えと、を有する遠位端を具備する多重部片本体を備え、
前記本体は、前記カソードと前記アノードの間の前記アーク間隙に対して前記トリガープローブ先端部を正確に配向するように寸法づけられた外周及び長さを有するプローブ安定化アーク放電ランプ用トリガープローブジグ。
【請求項７９】
プローブ安定化アーク放電ランプであって、
凹表面を画定する一体構造の基体部分及び側壁部分と、
前記基体部分から所定の間隔をおいて配置され、かつチャンバーを画成する前記側壁にたいして密封された窓と、
前記チャンバー内の気体と、
前記凹表面に配置されるか又は一体になされ、かつ焦点を有する反射器と、
前記基体部分を貫通して延在するアノード支持部及び該アノード支持部によって鉛直に支持されるアノードと、
前記側壁部分を貫通して鉛直上向きに延在するカソード支持部と、
前記カソード支持部から水平内向きに延在するカソード支持アーム及び前記反射器の焦点にアーク間隙を画定するために前記カソード支持アームから前記アノードから所定の間隔を隔てた位置まで鉛直上向きに延在するカソードと、
前記側壁部分を貫通して鉛直上向きに延在し、かつ前記側壁部分に近接する縮小された外周領域を有するプローブ支持部及び縮小された前記外周領域から、前記アノードと前記電極の間の前記アーク間隙にアークを発生させる該アーク間隙まで又は該アーク間隙に近接して延在する縮小された前記外周領域まで内向き且つ下向きに延在するトリガープローブと、を備えるプローブ安定化アーク放電ランプ。
【発明の詳細な説明】
【技術分野】
【０００１】
本発明は、パルスモードで、通常、作動するプローブ安定化アーク放電ランプに関する。
【背景技術】
【０００２】
アーク放電ランプは、広スペクトルに関する応答を有する光源として、および他の多くの用途のために、分光器を使用するために使用される。ほとんどのアーク放電ランプは、気体（例えば、キセノン）充填チャンバーに配置された、一方はカソード、他方はアノードである、２つの対向する電極によって画定されるアーク間隙のような、幾つかの共通の構成要素を具備する。反射器は、通常、前記アーク間隙のまわりに配置される。前記アーク間隙で放射された光は窓の外部に前記反射器によって導かれる。
【０００３】
アーク放電ランプには、連続モードで作動するように構成されたタイプと、パルスモードで作動するように構成されたタイプと、の２つの基本的タイプがある。とりわけ、生じた内部圧力の差異、連続作動ランプにおけるトリガープローブの欠如、パルスモードで発生する、カソード及びアノードで増大するスパッタリング、及びパルスモードアークランプにおけるカソード及びアノードの臨界状態のために、通常、連続モードで作動するように構成されたアーク放電ランプは、パルスモードでは一般的に作動し得ない。
【０００４】
従って、連続モードランプは、パルスモードで作動すると、短い有効寿命と、望ましい出力より小さな出力と、を欠点として持つ。水平に配置されたカソード及びアノードを具備するタイプと、鉛直に配置されたカソード及びアノードを具備するタイプと、の２つの基本的な連続モードランプ構成もある。水平に配置された電極とは、前記アーク間隙から前記反射器まで及び前記窓を貫通して外部までの光路を横切って配置された電極を意味する。鉛直に配置された電極とは、光路方向に延在する電極を意味する。前記アーク間隙は前記反射器の焦点に置くことができ、かつ前記アーク間隙と前記窓の間の光路に配置される構造物が最小になるため、鉛直に配置されたカソード及びアノード構成は有利なことに改善されたランバーティアン分布を有する。
【０００５】
しかしながら、今日では、全ての上手く行ったパルスモードアーク放電ランプ構成は水平に配置された電極のみを含んでいた。しかし、上述したように、連続モードアーク放電ランプの鉛直に配置された電極の利益のために、当業者は鉛直に配置された電極を具備するパルスモードアーク放電ランプを長い間望んできた。しかしながら、パルスモード及び連続モードアーク放電ランプ間に要求される物理的な差異により、鉛直に配置された電極を具備する連続モードアーク放電ランプは鉛直に配置された電極を具備する上手く行ったパルスモードアーク放電ランプに移行しなかった。
【０００６】
本明細書に開示されているのは、パルスモードで作動するように構成され、かつ、とりわけ、独特なカソード及びアノード形状構成、独特に構成されたトリガープローブ電極、点火装置と呼ばれる電離装置、自身上に一体配置された反射器を具備する一体構造セラミックハウジング、前記カソードを前記アノードに対して同軸関係に整合且つ正確に距離を隔てる新規なカソードジグ、及び前記プローブを前記アーク間隙に対して配向する新規なトリガープローブジグ、によって可能になされた鉛直に配置された電極を有利には具備するプローブ安定化ショートアーク放電ランプである。そして、好ましくは、全ての電気接続は前記ランプの基体を貫通して延在する。
【発明の開示】
【発明が解決しようとする課題】
【０００７】
従って、本発明の目的は、パルスモードで作動するように構成された高出力、長寿命のアーク放電ランプを提供することである。
【０００８】
本発明の更なる目的は、鉛直に配置された電極を具備するこうしたアーク放電ランプを提供することである。
【０００９】
本発明の更なる目的は、一体の光学要素を具備するこうしたアーク放電ランプを提供することである。
【００１０】
本発明の更なる目的は、高圧で作動し得るこうしたアーク放電ランプを提供することである。
【００１１】
本発明の更なる目的は、より効率的なアーク放電ランプを提供することである。
【００１２】
本発明の更なる目的は、改善されたランバーティアン分布を有するこうしたアーク放電ランプを提供することである。
【００１３】
本発明の更なる目的は、安定性を有するアーク放電ランプを提供することである。
【００１４】
本発明の更なる目的は、所与の出力で作動するのにより少ない電力しか要しないアーク放電ランプを提供することである。
【００１５】
本発明の更なる目的は、長持ちするこうしたアーク放電ランプを提供することである。
【００１６】
本発明の更なる目的は、過度のスパッタリングを示さないこうしたアーク放電ランプを提供することである。
【００１７】
本発明の更なる目的は、破壊電圧を被らないこうしたアーク放電ランプを提供することである。
【００１８】
本発明の更なる目的は、片方の端部に終端する、すなわち、全ての電気接続はランプの基体部分から延在する、アーク放電ランプを提供することである。
【００１９】
本発明の更なる目的は、製造するのに比較的容易且つ安価なこうしたアーク放電ランプを提供することである。
【００２０】
本発明の更なる目的は、正確な形状構成に繰り返し組み立て得るこうしたアーク放電ランプを提供することである。
【００２１】
本発明の更なる目的は、カソードをアノードに対して同軸関係に整列且つ正確に距離を隔てるためのカソードジグを提供することである。
【００２２】
本発明の更なる目的は、アーク間隙に対して正確にトリガープローブ先端部を配向するトリガープローブジグを提供することである。
【課題を解決するための手段】
【００２３】
本発明における、鉛直に配置された電極の利点は、独特に形状構成されたカソード及びアノード、トリガープローブの存在、点火装置と呼ばれる電離装置、通常はセラミック製の一体構造基体及び側壁ランプハウジング部分、前記セラミックハウジングに直に構成された一体反射器、前記カソードを前記アノードに対して同軸関係に整合且つ正確に距離を隔てる新規なカソードジグの使用、及び前記プローブ先端部を前記アーク間隙に対して正確に配向する新規なトリガープローブジグ、によるパルスモードアーク放電ランプで実現される。
【００２４】
本発明はプローブ安定化アーク放電ランプの特徴を記述する。通常、前記ランプは、凹表面を画定する一体構造の基体部分及び側壁部分、前記基体部分から間隔をおいて配置され、かつチャンバーを画成する前記側壁部分に対して密封される窓、前記チャンバー内の気体、及び前記凹表面に配置されるか又は一体の反射器を含む。第１電極は、通常、前記基体部分の中心に配置され、かつ前記基体部分から外向きに延在する遠位短を具備する。好ましい実施形態では、前記第１電極は、アノード支持部と、前記アノード支持部によって鉛直に配置されたアノードと、を含む。また、好ましい実施形態では、前記基体部分から外向きに延在する遠位端も具備する第２電極がある。前記第２電極は、好ましくは、前記側壁部分を貫通して鉛直上向きに延在するカソード支持部、前記カソード支持部から水平内向きに延在するカソード支持アーム、及び前記反射器の焦点にアーク間隙を画定するために前記カソード支持アームから、前記アノードから所定の間隔を隔てた位置まで鉛直下向きに延在するカソードを含む。最後に、第３電極は、好ましくは、前記基体部分から外向きに延在する遠位端も具備して含まれる。前記第３電極は、前記側壁部分を貫通して鉛直上向きに延在し、かつ前記側壁部分に近接する縮小外周領域であるプローブ支持部を具備する。前記第３電極は、前記縮小外周領域から、前記アノードと前記電極の間の前記アーク間隙にアークを発生させる該アーク間隙まで又は該アーク間隙に近接して延在する前記縮小外周領域から延在するトリガープローブを更に含む。
【００２５】
一例では、前記基体部分及び前記側壁部分はセラミック材料製である。前記アノード支持部は、前記アノードを受容する遠位シートを含む。前記アノード支持部はコバール製である。前記アノードは面取部の無い平坦な遠位表面を有する。前記カソード支持部はコバール製である。前記カソード支持アームはモリブデン製である。前記カソードはタングステンを含む材料製であり、前記カソードは先端が尖り且つ（例えば、６０°の）テーパが付された遠位端を具備する。
【００２６】
カソード支持部は、カソード支持アームの一端を受容するためにその遠位端に凹所を具備し得る。また、カソードは、この時、カソード支持アームの他端を受容するためにその近位端に凹所を具備し得る。
【００２７】
１つの好ましい実施形態では、第３電極は、側壁部分を貫通して上向きに延在する支持部と、前記支持部から上向きに延在し、かつ縮小された外周を有するプローブピンと、前記プローブピンから延在するプローブと、を含む。前記支持部は、通常、前記プローブピンを受容するために内部にシートを含む。
【００２８】
前記窓はサファイア製とし得るものであり、平坦又は凸形状とし得るものであり、及び前記側壁部分に固定されたカラーによって包囲された透明部材を含み得る。前記カラーと前記側壁の一部のまわりに延在するシールド部材を更に含み得る。一実施形態では、前記側壁部分は前記窓用一体支持部を含む。
【００２９】
前記反射器は放物線又は楕円形状とし得るものであり、かつ好ましくは前記カソード支持部から間隔を隔てた位置と前記第３電極の前記縮小外周から間隔を隔てた位置にも終端し得る。通常、前記トリガープローブは前記アーク間隙から偏倚した先端が尖った遠位先端部を具備する。
【００３０】
本発明の前記プローブ安定化アーク放電ランプは、基体部分と、前記記基体部分から所定の間隔を隔てた窓と、前記側壁、前記基体部分、及び前記窓が気体含有チャンバーを画成するように、前記基体部分を前記窓と相互連結する側壁と、前記チャンバー内に鉛直に配置され、かつ前記基体部分を貫通して外向きに延在する第１電極と、前記チャンバー内に鉛直にも配置され、かつ前記基体部分を貫通して外向きに延在する第２電極であって、前記第１及び第２電極の遠位端間にアーク間隙を画成する前記第１電極から所定の間隔をおいて配置された、前記第２電極と、前記アーク間隙内にアークを発生させるために該アーク間隙まで又は該アーク間隙に近接して延在するトリガープローブと、前記アークによって生じた放射を前記窓から外部に導くために前記アーク間隙のまわりに配置された反射器と、を備える。
【００３１】
好ましくは、前記基体部分及び前記側壁部分は、一体構造であり、かつ前記アーク間隙を包囲する凹表面を画定する。前記基体部分及び前記側壁は、通常、セラミック材料製であり、前記反射器は好ましくは前記凹表面の一体部分である。
【００３２】
前記第２電極は、好ましくは、前記側壁を貫通して上に延在するカソード支持部と、前記カソード支持部から前記アーク間隙上まで水平に延在するカソード支持アームと、前記カソード支持アームから鉛直下向きに延在するカソードと、を備える。前記カソード支持部は、前記カソード支持アームの一端を受容するためにその遠位端に凹所を具備し得るものであり、前記カソードは、そのうえ、前記カソード支持アームの他端を受容するためにその近位端に凹所を具備する。
【００３３】
前記トリガープローブは、好ましくは、前記基体部分を貫通して外向きに延在するプローブ支持電極に配置される。前記プローブ支持電極は、その遠位端にシートを含む。前記ランプは、前記プローブ支持電極に前記シートによって一端に支持された縮小外周のトリガープローブ支持ピンを更に含む。前記トリガープローブは前記トリガー支持ピンから内向き且つ下向きに延在する。
【００３４】
前記ランプは、好ましくは、前記チャンバーに配置されたリード線線を含む点火装置組立体と、前記カソード支持アームに取り付けられた前記リード線線用絶縁支持部と、前記気体充填チューブまで及び該チューブ内に延在する導電体と、を含む。
【００３５】
本発明の前記プローブ安定化アーク放電ランプは、基体部分と、 前記基体部分から所定の間隔をおいて配置された窓と、 前記側壁、前記基体部分、及びチャンバーを画成する前記窓を相互連結する側壁と、 前記チャンバー内の気体と、前記基体部分を貫通して鉛直に配置された第１電極と、 前記チャンバー内に鉛直にも配置され、かつ前記基体部分を貫通して外向きに延在する第２電極であって、前記第１及び第２電極の前記遠位端間にアーク間隙を画成する前記第１電極から所定の間隔をおいて配置された前記第２電極と、前記アーク間隙内にアークを発生させるために該アーク間隙まで又は該アーク間隙に近接して延在するトリガープローブと、 前記アークによって生じた放射を前記窓から外部に導くために前記アーク間隙のまわりに配置された反射器と、を備える。
【００３６】
本発明は、プローブ安定化アーク放電ランプ用カソードジグの特徴も記述し、前記カソードジグは、アノードを内部に受容する内部チャネルを有する第１部分と、カソードの前記遠位端を受容するためにその該遠位端の凹形空洞を有する第２部分と、を具備する多重部片本体を備える。前記第１部分は、前記第１部分を前記アノード上に配置する場合に前記カソードを該アノードを同軸関係に整合させるように寸法づけられた外周を有する。また、前記第２部分は、前記アノードの遠位端から前記カソードの前記遠位端の距離を正確に隔てるように寸法づけられた長さを有する。一実施例では、前記多重部片本体は２部片に分割される。
【００３７】
本発明は、プローブ安定化アーク放電ランプ用トリガープローブジグの特徴も記述し、前記トリガープローブジグは、アノードを内部に受容する内部チャネルと、前記トリガープローブの遠位端を受容且つ支持するためにその上に画定された支えと、を有する遠位端を具備する多重部片本体を備え、前記本体は、前記カソードと前記アノードの間の前記アーク間隙に対して前記トリガープローブ先端部を正確に配向するように寸法づけられた外周及び長さを有する。
【００３８】
他の目的、特徴及び利点は、好ましい実施形態の以下の記述および添付図面から当業者には思い浮かぶ。
【発明を実施するための最良の形態】
【００３９】
図１のプローブ安定化アーク放電ランプは、一実施形態として、一体構造の基体１２と、凹面（放物線状又は楕円形状）１６を画定する側壁１４と、を備えるハウジングを含むことが好ましい。通常、一体構造部分１２及び１４は、その電気的絶縁特性、耐高温能力、モールド成形性、低コスト性、機械加工性、窓１８、その金属化部２０、及び窓カラー２２の材料を含むランプ１０の光学要素の材料の熱膨張係数に概ね一致する熱膨張係数のため、セラミック製である。この実施形態では、コバール窓カラー２２は参照符号１５において示すように側壁部分１４上に支持される。コバールシールド１７は、組立のため及び電磁干渉保護のために図示するようにカラー２２及び側壁１４の一部のまわりに延在する。他の実施形態では、基体部分１２及び壁部分１４の材料は、例えば、コバールとし得る。
【００４０】
例えば、サファイア、ガラス、フッ化マグネシウム、及びその他同種（ランプ１０から放射されることが望ましい波長に依存する）製の窓１８は、気体（例えば、キセノン）充填チャンバー２４を画成する側壁１４に対して密封される。反射器２６（例えば、アルミニウム製）は、スパッタリング、被着、あるいは電気メッキ技術によって凹表面１６に配置され、かつアーク間隙２８に好ましくは形成された焦点を有する。
【００４１】
第１電極３０は基体部分１２の中心に配置されて示され、かつ基体部分１２から外向きに延在する遠位端３２を具備する。第１電極３０は、鉛直アノード３４と、遠位アノードシート３８を具備するアノード支持部３６と、を含む。一実施形態では、アノード３４は２％のトリウムを含むか又は純粋なタングステン製であり、アノード支持部３６はコバールで製である。アノード３４は、通常、平坦な遠位表面４０を具備する。
【００４２】
第２電極５０は、基体部分１２から外向きに延在し、かつ側壁部分１４を貫通して鉛直上向きに延在するカソード支持部５４を含む遠位端５２と、カソード支持部５４から水平内向きに延在するカソード支持アーム５６と、カソード支持アーム５６から鉛直下向きに延在し、かくして反射器２６の焦点にアーク間隙２８を形成するカソード５８と、を具備する。一実施形態では、カソード支持部５４はコバール製であり、カソード支持部アーム５６はモリブデン製であり、及びカソード５８は、低作用機能材料、例えば、バリウム（ＢＡ）、カルシウム（ＣＡ）、及びアルミン酸塩（Ａ１２０３）を含浸させた８０％高密度タングステン製である。カソード５８はテーパが付されて先端が尖った遠位端６０（テーパ６２は、一実施例では、６０°である）を具備する。
【００４３】
第３電極７０は、基体部分１２から外向きに延在する遠位端７２も具備する。従って、この実施形態における全ての電極は基体部分１２から延在して片方の端部に終端するランプに帰着する。第３電極７０は、通常はカソード支持部５４とは反対側にある、側壁部分１４を貫通して鉛直上向きに延在するトリガープローブ支持部７４を含む。直径が縮小されたトリガープローブピン７６は、トリガープローブ７８を片持ち梁態様で支持する。プローブ７８は、アノード３４とカソード５８との間のアーク間隙にアークを発生させるためのアーク間隙２８まで又は該間隙近くまで延在する。
【００４４】
側壁１４近くに配置された直径が縮小されたトリガープローブ支持ピン７６は、反射器１６と第３電極７０との間の破壊電位を減じる。反射器１６は、該反射器１６と第３電極７０との間の破壊電位を更に減じるために、プローブ支持ピン７６の端縁から０．０６０インチの間隔を隔てた位置８０にある側壁部分１４で終端することが好ましい。同じことが位置８２にあてはまる。反射器２６はカソード支持部５４の穴から０．０６０インチの間隔を隔てた位置にある側壁部分１４で終端する。トリガープローブ支持部７４は、通常、コバール製であり、トリガープローブ支持ピン７６は、通常、モリブデン製であり、トリガープローブ７８は、通常、タングステン製であり、かつ先端が尖った先端部８６を具備する。先端が尖った先端部８６と、アーク間隙２８の中心線から０．０４インチ偏倚して位置付けられることが好ましいという事実は、カソード５８からプローブ先端８６上までのカソード材料のスパッタリングを防ぐ。各電極３０、５０、及び７０は、それぞれ、応力を緩和するカップ９０、９２、及び９４によって、通常、基体部分１２内に位置づけられる。ランプ１０は、通常、より低いトリガー破壊電圧及びパルス間の放電安定性に帰着するチャンバー２４内及びアーク間隙２８内のキセノンのイオン化を容易にする光源及び紫外線フォトンを与えるカソード支持アーム５６に取り付けられた点火装置組立体４００をさらに含む。
【００４５】
図１の構成では、アーク間隙２８からの放射のランバーティアン分布は、反射器２６の焦点に単独で配置可能であるアーク間隙２８と組み合わせて、点線１２２によって示されるランバーティアン分布を作り出す図２の水平に配置された電極１１０及び１２０を具備する従来技術によるパルスモードアーク放電ランプより高出力に帰着する、点線１００によって示されるようなものである。こうした構成では、反射器１２４は、電極１１０及び１２０より下に位置しなければならないし、ランプの基体部分に過大な量の空間を占める。
【００４６】
一般に、当業者は、鉛直に配置された電極を具備するパルスモードアーク放電ランプ構成を長い間所望していた。何故なら、こうした構成は高出力、長寿命を呈し、かつより頑丈であるためである。鉛直に配置された電極を具備する連続モードアーク放電ランプは当該分野で知られているが、これらは、とりわけ、生じた内部圧力の差異、連続作アーク放電動ランプのトリガープローブの欠如、パルスモードで発生する増大したカソード及びアノードのスパッタリング、及びパルスモードアーク放電ランプにおけるカソード及びアノードの臨界状態のためにパルスモードでは作動し得ない。従って、上述した背景技術に詳細に述べたように、鉛直に配置された電極を具備する連続モードアーク放電ランプの構成は、鉛直に配置された電極を具備するパルスモードアーク放電ランプに成功裡に移行されていない。
【００４７】
しかしながら、図１のアーク放電ランプ１０は、パルスモードで作動するように特に構成され、かつ特に鉛直に配置された電極３０、５０、及び７０、そして、特に、カソード５８及びアノード５４の独特な形状構成によって特に可能になされた鉛直に配置されたアノード３４及びカソード５８、トリガープローブ電極７８の存在、予備イオン化点火装置４００、反射器１６をその上に具備する一体構造の基体１２及び側壁部分１４、アノード３４に対して同軸関係に整合且つ正確な間隔を隔てたカソード５８のための新規なジグ、及び上述したようなアーク間隙２８に対してトリガープローブ７８の先端部を正確に配向するための新規なトリガープローブジグを具備する。
【００４８】
図１のランプ１０は、特にパルスモードで作動するように構成されており、鉛直に配置されたカソード５８及びアノード３４により、アーク間隙２８からのアークは、改善されたランバーティアン分布と、窓１８からアーク間隙２８からの光路を遮る最小の構造体を具備するより効率的なランプに帰着する反射器２６の焦点に配置し得る。単一のカソード支持アーム５６は、有利なことに、従来技術のリング支柱構成より光を遮ることが少ない。図示する片方の端部に終端する構成も有利である。プローブ７８により、ランプ１０の光出力パルス間の安定性は、約１０パーセントの安定性を有するプローブの無いランプと比較して約１パーセントである。直径が減じられたプローブピン７６と、プローブピン７６及びカソード支持部５４のない反射器の終端部はプローブピン７６と反射器２６との間の破壊電圧を増大させる。８０％高密度タングステンの使用と、カソード５８の低作用機能材料により、結果として、スパッタリングを被ることが少なく、かつ高ピーク電流を考慮した低作用機能カソードが得られる。さらにまた、プローブ７８の先端が尖った端部８６と、アーク間隙２８から移動したその位置（カソード５８及びアノード３４によって規定された長手方向軸線に対して該軸線から離れた）と、は、プローブ先端８６上へのスパッタリングを防ぐ。この構成は、より安定して長寿命のランプに帰着し、アークとの干渉も回避する。
【００４９】
参照符号６０及び６２で示すような遠位収束側壁を具備するカソード５８は、特に有効な構成である。平坦なカソード先端部は良い使用寿命を呈するが放電安定性が良くない一方で、鋭く先端が尖ったカソード先端部はより良いアークを作るが腐食により極めて短い使用寿命を呈する。アノード３４の先端部４０は、対照的に、安定性及び熱考慮のために通常は実質的に平坦である。
【００５０】
最後に、前述したように、上記特徴と組み合わせた、反射器２６を具備する基体部分１２及び側壁部分１４のために単一のセラミック本体の使用は、長寿命、高出力ランプに帰着する。
【００５１】
図３は、窓及び反射器のない図１のランプ１０を示す。気体ポート１３０は、チャンバー２４を当該分野で知られているようなキセノン気体で充填するために、図示しない、導管又は充填チューブと連通して示されている。従来技術では、充填チューブはチャンバーを気体で充填後に挟んで締め付けられた。この発明では、点火装置組立体４００は、図３０に関して以下に検討するように、部分１３０を充填して気体充填チューブ内に下降するように図示するように延在するカソード支持アーム５６及び導電体４０６に取り付けられた絶縁セラミック支持部４０４から延在するリード線４０２を含む。
【００５２】
図４は、より詳細には、トリガープローブ、カソード、アノード支持アーム、点火装置組立体、及び窓を付加する以前の電極及びハウジングを示す。一実施例では、ランプは直径が約１インチであり、高さが約８インチである。図５は、電極及び電極カップ用穴を具備するセラミックハウジングのみを示す。図６は、オリフィス７５、気体充填チューブ用オリフィス１３０、側壁１４にあるアノード支持部５４用オリフィス７７からなるプローブ支持部７４を示す。
【００５３】
図７は、一実施例における、直径が０．０８０インチであり、長さが０．６インチのアノード支持部３６を示す。シート３８は直径が０．０４０インチであり、深さが０．０４０インチである。図８に示されたアノード３４は、一実施例では、長さが０．３２５インチであり、直径が０．０８０インチである。テーパエンド３５は、図７のアノードシート３８に受容され、一実施例では、直径が０．０４０インチであり、長さが０．０３５インチである。アノード３４の図８の遠位端４０は図示するように０．０１０インチ×４５°の僅かな隅部面取を具備し得る。アノードカップ９０は図９に示され、一実施例では、直径が０．０８１５インチのアノード受容オリフィスを具備し、外径が０．２７１インチである。アノードカップ９０の高さは、０．１９５インチであり、壁厚は０．０１５０インチである。図１のカップ９２及び９４は同様に構成し得る。
【００５４】
図１０は、カソード支持部カップ９２と結合したカソード支持部５４を示す。カソード支持部５４は長さが１．３３０インチであり、直径が０．０８０インチである。遠位端５５は図１のカソード支持アーム５６を内部に受容するためのスロット５７を含む。カソード支持部５４はカップ無しで図１１にも示した。スロット５７は、一実施形態では、深さが０．０６０インチであり、幅が０．０１９インチである。図１２のカソード支持アーム５６は、通常、長さが０．５３１インチであり、幅が０．０６０インチであり、厚さが０．０１５インチの非常に長い矩形横断面棒である。図１３のカソード５８は、その近位端６１上に幅が０．０１９インチであり、深さが０．０８インチのスロット５９を含む。カソード５８それ自体は長さが０．４０２インチであり、遠位先端部５３の半径は０．００５インチである。この特定の実施例では、カソード５８の本体は、直径が０．０８０インチである。
【００５５】
組立体中に、図４のカソード支持部５４は基体部分１２に固定される。その後、図１０のカソード支持部５４のスロット５７は、カソード支持アーム５６の一端を受容する一方で、図１３のカソード５８のスロット５９は、その後、カソード支持アーム５６の他端を受容する。以下に検討する本発明のカソード整合ジグとの組合せで、カソードの位置決めと、ランプの組立中にアノードに対するカソードの整合と、を極めて容易にする。一旦、整合が完了すると、カソード支持アーム５６はレーザー溶接によってカソード支持部５４に固定され、カソード５８は蝋付けによってカソード支持アーム５６に固定される。
【００５６】
図１４のプローブ支持部７４は、一特定実施例においても、長さが１．１インチであり、直径が０．０８０インチであり、かつ深さが０．０３０インチであり、直径が０．０１８インチのプローブ支持ピンシート６５を含む。図１５のプローブ支持ピン７６は長さ０．４インチであり、直径が０．０１５インチの丸棒である。近位置端６７は、直径０．０１５インチの図１４のプローブ支持部７４のシート６５に受容される。図１６のタングステンプローブ７８は、長さが約０．５インチであり、先端部分８６は、長さが０．０４２インチであり、２０°のテーパ及び０．００５インチの真円度を有する。プローブ７８の近位端は図１のプローブ支持ピン７６の遠位端に溶接によって固定される。図１７の点火装置組立体４００は、カソード支持アーム５６に取り付けられた絶縁セラミック支持部４０４から延在するリード線線４０２を含む。
【００５７】
図１８の窓支持部２２は、一特定実施例では、１．２３９インチの外径を有し、及び直径が０．７８０インチの窓支持部６９を具備する。窓支持部２２は、厚さが０．１２５インチであり、コバール製である。窓支持部２２がランプ１０の一部に溶接され、かつシールド１７が適所に溶接される場合、開口２３は熱選択部として働く。別の実施形態である図１９の直径が１．２３９インチのコバール窓カラー２１０も使用し得る。窓カラー２１０は、一特定実施例において、高さが０．２５５インチ、外径が１．２３９インチ、及び１．００６インチの内径である。
【００５８】
図２０のコバールリング１７は、１．３００インチの外径を有し、内径が１．２５０インチであり、及び高さが０．２７５インチである。しかしながら、上述したアーク放電ランプの種々の構成要素の特定寸法は、本願の特許請求の範囲に記載した本発明の限定ではない。
【００５９】
図２１のランプ１０′は窓１８用一体支持部２００を具備する側壁１４′を含む。窓１８は、ランプの単一端部構成により、側壁１４′のセラミック材料に直に金属蝋付けされる外周端縁を含み得る。この構成では、図１のシールド１７は削除し得る。図１７のランプ１０′の他の構成要素は図１のランプ１０と同一か又は類似したものである。
【００６０】
これまでのところ、開示された窓は平坦であったが、これは本発明に必ずしも必要な限定事項ではない。図２２に示す構成では、窓１８′は凸形状であり、それ自体ハウジング支持部２００によって支持された支持部材２２によって支持された中央透明領域２２０を含む。
【００６１】
図２３〜図２６は、各々が共にアノード３４を内部に受容するための直径０．０８１〜０．０８３インチの内部チャネル３０１を具備する部分３０１と、カソード５８の遠位端を内部に受容する１２０°の凹形であり、深さが０．０４５インチの空洞３１２を具備する遠位端部分３１０と、を画成する、２つの部片３０４及び３０６で作られたステンレス鋼本体３０２を含む、カソード整合ジグ３００を示す。０．１９０インチ〜０．１９４インチの外径部分３０８は、アノード３４に対してカソード５８を同軸な関係に整合させるように寸法づけられる。こうして、その直径は、アノード３４を包囲する基体部分１２のオリフィスの直径より僅かに小さい。第２部分３２０は、適切なアーク間隙長さを規定するために、アノード３４の遠位端３４からカソード５８の遠位端を正確に隔てる長さを有する。
【００６２】
好ましくは、図２３のアノードは、基体部分１２に配置される。また、カソードジグ３００の両部分３０４及び３０６は、通常、例えば、テープを使用して一緒に固定される。その後、ジグ３００は図示するようにアノード３４上に配置される。次に、カソード５８は空洞３１２に配置され、かつ、図１のカソード支持アーム５６が図１０〜図１３を参照して以前検討したスロット付装置を使って、カソード５８とカソード支持部５４の両方に固定される時に、これにより支持される。この時、ジグ３００のまわりのテープは切断され、２つの部片３０４及び３０６はアノード３４及びカソード５８の近傍から取除かれる。図２３〜図２６のジグ３００と共に図１０〜図１３のスロット付構成は、アノード３４に対するカソード５８の同軸関係にある整合を与え、カソードとアノードとの間にアーク間隙の再現し得る正確な間隔を与える。
【００６３】
図２７〜図２９のトリガープローブジグ３５０はアーク間隙７８に対するトリガープローブ７８の遠位先端部を正確に位置づけるためにカソードとアノードを組み立てた後に使用される。トリガープローブジグ３５０は、図示するように、アノード３４を受容するために、直径が０．０８１インチ〜０．０８３インチであり、深さが０．１８７インチの内部チャネルを具備する多重構成又は多重部片本体も備える。ジグ３５０の遠位端３５２は、図示するように、プローブ７８の遠位端を受容するための２つの部分間の中心線から０．００８インチ離れた０．１６インチのスロットによって画定される支え３５４を含む。トリガープローブジグ３５０の本体は、カソード５８とアノード３４の間のアーク間隙２８に対してトリガープローブ７８を正確に配向させるように寸法づけられた外周（直径が０．１９０〜０．１９４インチの）及び長さ（０．２３７インチ）を有する。
【００６４】
全体的な結果として、パルスモードで作動するように構成した高出力、長寿命のアーク放電ランプが得られる。鉛直に配置された電極と一体構造とされた光学要素は、改善されたランバーティアン分布と安定性の増大を伴ったアーク放電ランプを提供する。本発明のアーク放電ランプは、所与の出力で作動するためにより少ない電力しか要さず、長持ちし、及び過度のスパッタリング又は破壊電圧を被らない。通常、アーク放電ランプは片方で終端する。すなわち、全ての電極はランプの基体部分から延在する。本発明のアーク放電ランプは製造するには比較的容易であり且つ安価であり、正確な形状構成に繰り返し組立ることができる。図２３〜図２６のカソードジグ３００はアーク放電ランプのカソード５８をアノード３４に対して同軸関係に整合且つ正確に距離を隔てる。図２７〜図２９のトリガープローブジグ３５０はトリガープローブ７８先端部をアーク間隙２８に対して正確に配向させる。
【００６５】
本発明では、鉛直に配置された図１のアノード３４及びカソード５８の利点は、独特に形状構成されたアノード、カソード、及びトリガープローブ、一体構造の基体及び側壁１４、セラミックハウジングに直に構成された一体構造の反射器１６、作業者がカソード５８をアノード３４に対して同軸関係に整合させ且つ正確に距離を隔てる製造を支援する新規なカソードジグの使用、及び作業者がプローブ７８の先端部をアーク間隙２８に対して正確に配向させる支援をする新規なトリガープローブジグによるパルスモードアーク放電ランプ１０で実現される。
【００６６】
図３０は、バネ屈曲部５０２に終端する気体充填チューブ５００まで及び該チューブ５０２内に延在する導管を具備する点火装置組立体４００を特徴づけるランプ１０を示す。このように、一旦、排出チューブ５００の先端が切断されると、それは点火装置リード線として働く。
【００６７】
本発明の特定の特徴を幾つかの図面に示し他には示していないが、これは、単に各々の特徴が本発明による他の特徴の何れか又は全てと組み合わせ得るものとしての利便性のためである。本明細書で使用した“含む”、“備える”、“具備する”、及び“有する（具備する）”との用語は、広義且つ包括的に解釈されるべきであり、何れの物理的な相互接続に限定されない。さらにまた、本願に開示された何れかの実施形態は唯一可能な実施形態として取られるべきではない。
【００６８】
他の実施形態は当業者には思い浮かぶであろうし、特許請求の範囲内にある。
【図面の簡単な説明】
【００６９】
【図１】本発明のプローブ安定化アーク放電ランプの一実施形態の概略横断面図である。
【図２】水平に配置された電極を具備する従来技術のアーク放電ランプのランバーティアン分布を示す概略図である。
【図３】本発明のプローブ安定化アーク放電ランプに関連する主要構成要素を示す３次元概略平面図である。
【図４】本発明のプローブ安定化アーク放電ランプのハウジング及び電極部分の横断面図である。
【図５】本発明のプローブ安定化アーク放電ランプのハウジング部分の横断面図である。
【図６】図５に示すハウジングの平面図である。
【図７】本発明のアーク放電ランプのアノード支持要素の横断面図である。
【図８】本発明の一実施形態によるアノードの側面図である。
【図９】本発明のアーク放電ランプのアノードカップ構成要素の横断面図である。
【図１０】本発明の好ましい実施形態によるアーク放電ランプのカソードピン構成要素の側面図である。
【図１１】本発明のアーク放電ランプのカソードピン構成要素の別の側面図である。
【図１２】本発明のアーク放電ランプの好ましい実施形態によるカソード支持腕構成要素を示す３次元概略図である。
【図１３】本発明のアーク放電ランプの好ましい実施形態によるカソードの概略正面図である。
【図１４】本発明のアーク放電ランプの好ましい実施形態によるプローブ支持部の横断面図である。
【図１５】本発明のプローブ支持部ピンの側面図である。
【図１６】本発明のトリガープローブの概略図である。
【図１７】本発明の点火装置組立体の概略図である。
【図１８】本発明のアーク放電ランプの窓支持部要素の実施形態を示す横断面図である。
【図１９】本発明のアーク放電ランプの窓支持部要素の実施形態を示す横断面図である。
【図２０】本発明のアーク放電ランプのコバールリング構成要素を示す概略横断面図である。
【図２１】本発明によるプローブ安定化アーク放電ランプの別の実施形態を示す横断面図である。
【図２２】本発明によるプローブ安定化アーク放電ランプの概略横断面図である。
【図２３】本発明によるカソードジグをアノード上の適所に使用し、かつプローブ安定化アーク放電ランプの組立中にカソードを支持することを示す概略横断面図である。
【図２４】図２０に示すカソードジグの２つの部分を示す概略３次元図である。
【図２５】図２３〜図２４に示すカソードジグの横断面図である。
【図２６】図２５に示すカソードジグの平面図である。
【図２７】本発明によるプローブ安定化アーク放電ランプの組立中のトリガープローブジグの使用を示す概略横断面図である。
【図２８】図２７に示すトリガープローブジグの横断面図である。
【図２９】図２８に示すトリガープローブジグの平面図である。
【図３０】本発明の点火装置組立体を示す本発明のアーク放電ランプの概略横断面図である。
【符号の説明】
【００７０】
１０  ランプ
１２  基体部分
１４  側壁
１６  凹面
１７  コバールシールド
１８  窓
２０  金属化部
２２  カラー
２４  チャンバー
２６  反射器
２８  アーク間隙
３０  第１電極
３２  遠位端
３４  アノード
３５  テーパエンド
３６  アノード支持部
３８  遠位アノードシート
４０  遠位表面
５０  第２電極
５２  遠位シート
５４  カソード支持部
５５  遠位端
５６  カソード支持アーム
５７  スロット
５８  カソード
５９  スロット
６０  遠位端
６１  近位端
６２  テーパ
６５  プローブ支持ピンシート
７０  第３電極
７２  遠位端
７４  トリガープローブ支持部
７５  オリフィス
７６  トリガープローブ支持ピン
７７  アノード支持部用オリフィス
７８  トリガープローブ
８６  先端部
９０、９２、９４  カップ
１１０、１２０  電極
１２４  反射器
１３０  気体ポート
４００  点火装置
４０２  リード線
４０４  絶縁セラミック支持部
４０６  導電体
【図１】
2006505097.tif 000003
【図２】
2006505097.tif 000004
【図３】
2006505097.tif 000005
【図４】
2006505097.tif 000006
【図５】
2006505097.tif 000007
【図６】
2006505097.tif 000008
【図７】
2006505097.tif 000009
【図８】
2006505097.tif 000010
【図９】
2006505097.tif 000011
【図１０】
2006505097.tif 000012
【図１１】
2006505097.tif 000013
【図１２】
2006505097.tif 000014
【図１３】
2006505097.tif 000015
【図１４】
2006505097.tif 000016
【図１５】
2006505097.tif 000017
【図１６】
2006505097.tif 000018
【図１７】
2006505097.tif 000019
【図１８】
2006505097.tif 000020
【図１９】
2006505097.tif 000021
【図２０】
2006505097.tif 000022
【図２１】
2006505097.tif 000023
【図２２】
2006505097.tif 000024
【図２３】
2006505097.tif 000025
【図２４】
2006505097.tif 000026
【図２５】
2006505097.tif 000027
【図２６】
2006505097.tif 000028
【図２７】
2006505097.tif 000029
【図２８】
2006505097.tif 000030
【図２９】
2006505097.tif 000031
【図３０】
2006505097.tif 000032
【国際調査報告】
2006505097.tif 000033